【事件の表示】
　昭和６３年特許願第２８６９３３号「記録再生装置」拒絶査定に対する審判事件［平成　２年　５月２２日出願公開、特開平　２−１３２９８３］について、次のとおり審決する。
【結　論】
　本件審判の請求は、成り立たない。
【理　由】
　１．本願発明
　本願は昭和63年11月14日の出願であって、その発明（以下「本願発明」という。）は補正された明細書及び図面の記載からみて、本願特許請求の範囲に記載された、次に掲げるとおりのものである。
「光電変換を行うイメージセンサと、前記イメージセンサの出力をＡＤ変換するＡＤコンバータと、前記ＡＤコンバータ出力が加えられる記録デジタル処理回路と、前記デジタル処理回路の出力が記録される記録媒体と、前記記録媒体に記録された画像データを読み出して処理する再生デジタル回路と、画像メモリと、この画像メモリから読み出された画像データをＤＡ変換するＤＡコンバータと、前記画像メモリへのデジタル画像データを選択するスイッチ手段とを備え、前記スイッチ手段により、前記ＡＤコンバータからの画像データを選択するか、前記読み出し回路からの画像データを選択するか決定し、前記ＡＤコンバータからの又は前記読み出し回路からの全画像データを前記画像メモリに書き込み、前記画像メモリから画像信号を出力してなる画像信号の記録再生装置」
　２．引用例発明
　これに対して、原審の拒絶理由に引用された、本願の出願の日前の昭和63年10月14日の出願であって、その出願後に公開された特願昭63-257075号（特開平2-105679号公報参照（以下「引用例」という。））には、次に掲げる(1)ないし(6)の事項からなる記録再生装置（以下「引用例発明」という。）が記載されている。
　(1)記憶媒体に記憶する前のデータと記憶後のデータのいずれか一方を選択的に再生表示すること（3頁右上欄15行から17行）
　(2)被写体像は光学系11を経てイメージ・センサ12から映像信号が出力される。この映像信号は次に図示しない信号処理回路で増幅、露出調整、色調整等の必要な信号処理が加えられたのち、Ａ／Ｄ変換回路13でディジタル信号に変換される。このディジタル信号はさらに直交変換回路14に与えられて、直交変換処理が加えられる。（4頁右上欄18行から同頁左下欄5行）
　(3)一画面分の画像データが直交変換されることによりＤＣＴ係数のＤＣ成分は切換回路18の一方の入力端子に与えられる。またＤＣＴ係数のＤＣ成分およびＡＣ成分は符号化回路15に与えられ、符号化される。（4頁右下欄15行から19行）
　(4)復号化回路17はメモリ・カートリッジ30から読出された一画面分のＤＣ成分を復号するものである。復号されたＤＣ成分は切換回路の他方の入力端子に与えられる。切換回路18は２つの入力端子に入力するいずれか一方のＤＣ成分データを、切換信号に応答してＤＣ成分メモリ19に与えるものである。（5頁左上欄16行から同頁右上欄2行）
　(5)ＤＣ成分メモリ19に蓄えられたＤＣ成分データは順次読み出されてＤ／Ａ変換器20によってアナログ信号に変換された後、ビューファインダ21に縮小簡易画像として可視表示される。（5頁右上欄7行から10行）
　(6)ＤＣ成分は各ブロックの平均輝度を表しているので、ＤＣ成分のみによって構成される画像であっても一画面全体の図柄をみることができる（5頁右上欄14行から16行）
　３．本願発明と引用例発明との対比
　そこで、本願発明と引用例発明とを対比すると、
　(1)引用例発明における「イメージ・センサ12」は、被写体像を映像信号として出力するから、本願発明における「イメージセンサ1」に相当し、
　(2)引用例発明における「Ａ／Ｄ変換回路13」は、映像信号をディジタル信号に変換するから、本願発明における「ＡＤコンバータ4」に相当し、
　(3)引用例発明における「直交変換回路14及び符号化回路15」は、Ａ／Ｄ変換回路13の出力が加えられるから、本願発明における「記録デジタル処理回路5,6,7」相当し、
　(4)引用例発明における「メモリ・カートリッジ30」は、一般的に記録媒体といえるから、本願発明における「記録媒体26」に相当し、
　(5)引用例発明における「復号化回路17」は、メモリ・カートリッジ30から読出されたデータを復号処理するから、本願発明における「再生デジタル回路10,11,12,19」に相当し、
　(6)引用例発明における「ＤＣ成分メモリ19」は、メモリ・カートリッジ30から読出される画像データのうちの復号化されたＤＣ成分データを記憶するもので、このＤＣ成分データは画像データの平均輝度を表し、ＤＣ成分のみによって構成される画像であっても一画面全体の図柄をみることができるから、本願発明における「画像メモリ22」に相当し、
　(7)引用例発明における「Ｄ／Ａ変換器20」は、ＤＣ成分メモリ19からの一画面全体の図柄データをアナログ信号に変換するから、本願発明における「ＤＡコンバータ23」に相当し、
　(8)引用例発明における「切換回路18」は、一画面全体の図柄のデジタル画像データの記憶前と記憶後のいずれか一方を選択するから、本願発明における「スイッチ手段21」に相当し、
　(9)引用例発明における「復号化回路17」は、メモリ・カートリッジ30から読出されたデータを復号処理するから、本願発明における「読み出し回路10,11,12,19」に相当する。
　以上の対比(1)ないし(9)から、引用例には実質的に本願発明が記載されていると認められ、本願発明と引用例発明とは実質的に同一といえる。
　４．本願発明と引用例発明との一致点・相違点
　ここで、請求人の請求の理由での主張をみて、一応、一致点と相違点を挙げて以下に検討する。
　本願発明と引用例発明とは、具体的には、
「光電変換を行うイメージセンサと、前記イメージセンサの出力をＡＤ変換するＡＤコンバータと、前記ＡＤコンバータ出力が加えられる記録デジタル処理回路と、前記デジタル処理回路の出力が記録される記録媒体と、前記記録媒体に記録された画像データを読み出して処理する再生デジタル回路と、画像メモリと、この画像メモリから読み出された画像データをＤＡ変換するＤＡコンバータと、前記画像メモリへのデジタル画像データを選択するスイッチ手段とを備え、前記スイッチ手段により、記録前の画像データを選択するか、前記読み出し回路からの画像データを選択するか決定し、記録前の又は前記読み出し回路からの全画像データを前記画像メモリに書き込み、前記画像メモリから画像信号を出力してなる画像信号の記録再生装置」で一致し、次の(1)(2)の点で一応相違する。
　(1)上記「画像メモリに書き込まれるデータ」が、具体的には、本願発明においては「全画像データ」であるのに対して、引用例発明においては「ＤＣ成分の画像データ」である点
　(2)上記「記録前の画像データ」が、具体的には、本願発明においては「ＡＤコンバータからの画像データ」であるのに対して、引用例発明においては「直交変換回路からのＤＣ成分の画像データ」である点
　そこで、上記相違点(1)(2)について検討する。
　相違点(1)についての検討
　引用例発明においては、画像データはＤＣ成分とＡＣ成分とからなり、ＤＣ成分は一画面全体の図柄をみることができる縮小簡易画像として可視表示（再生）するのであるから、可視表示するのに縮小簡易表示（簡易再生）とするか縮小簡易表示ではない普通表示（普通再生）とするかは、当業者が、設計の段階で、適宜決定できることである。
　したがって、「画像メモリに書き込まれるデータ」を「全画像データ」とすることは、当業者が、設計の段階で、適宜決定できることであるから、この相違点は実質的な相違点ではない。
　相違点(2)についての検討
　上記相違点(1)で検討したように、縮小簡易表示（簡易再生）するか、普通表示（普通再生）するかは、当業者が、設計の段階で、適宜決定できることであるから、引用例発明における「直交変換回路からのＤＣ成分の画像データ」に代えて「ＡＤコンバータからの画像データ」とすることは、当業者が、設計の段階で、適宜決定できることである。
　したがって、「記録前の画像データ」を「ＡＤコンバータからの画像データ」とすることは、当業者が、設計の段階で、適宜決定できることであるから、この相違点は実質的な相違点ではない。
　以上の検討から、本願発明と引用例発明とは実質的に同一と認められる。
　５．むすび
　以上のとおりであるから、本願発明は、引用例発明と同一であると認められ、しかも、本願に係る発明者が引用例に記載された発明者と同一であるとも、また、本願に係る出願人が引用例に記載された出願人と同一であるとも認められないので、特許法29条の2の規定により特許を受けることができない。
　よって、結論のとおり審決する。